(57)【要約】      （修正有）【課題】ショーを行う場所に合わせて随時移動できて、機動性が高く、且つ、出演者の演出する映像音声内容を表示することで、ショーの豊かな表現性や娯楽性を高めることができるマルチメディア舞台装置車を提供する。【解決手段】車体を具備し、設置されたマルチメディアサインボードを利用して映像音声内容を表示してショーと組み合わせることができ、可動式プラットフォームをマルチメディアサインボードの前方に設置し、バックボードとこの車体を接続し、この可動式プラットフォームをショー活動を行うステージとする。可動式プラットフォームの下方に位置した複数の支持脚がこの可動式プラットフォームを支持し、可動式プラットフォームと接続した仕切り板を背景レイアウトに用い、車体内に設置した制御装置でマルチメディア舞台装置車全体を操作する。【選択図】図５
0003153421.tif 000002
【実用新案登録請求の範囲】
【請求項１】
車体と、
前記車体内に設け、映像音声画面を表示するのに用いるマルチメディアサインボードと、
前記マルチメディアサインボードの背面に設け、且つ、前記車体と接続し、前記マルチメディアサインボードを昇降、支持するのに用いる一組の昇降装置と、
前記マルチメディアサインボードの前方に設け、ショーを行うステージとなる可動式プラットフォームを含むことを特徴とするマルチメディア舞台装置車。
【請求項２】
前記マルチメディアサインボードはＬＥＤパネルであることを特徴とする、請求項１に記載のマルチメディア舞台装置車。
【請求項３】
前記車体内に設けた制御装置を更に含むことを特徴とする、請求項１に記載のマルチメディア舞台装置車。
【請求項４】
前記可動式プラットフォームと接続する仕切り板を更に含むことを特徴とする、請求項１に記載のマルチメディア舞台装置車。
【請求項５】
前記可動式プラットフォームと前記車体のそれぞれに接続するバックボードを更に含むことを特徴とする、請求項１に記載のマルチメディア舞台装置車。
【請求項６】
前記可動式プラットフォームと前記バックボードの間に位置した複数の連動軸を更に含むことを特徴とする、請求項５に記載のマルチメディア舞台装置車。
【請求項７】
前記可動式プラットフォームの下方に位置する複数の支持脚を更に含むことを特徴とする、請求項１に記載のマルチメディア舞台装置車。
【請求項８】
前記可動式プラットフォーム下方の支持脚の位置に対応する位置にあり、且つ、前記支持脚と接続した複数の支持脚収納溝を更に含むことを特徴とする、請求項７に記載のマルチメディア舞台装置車。
【請求項９】
前記可動式プラットフォームの下方に位置し、且つ、前記支持脚収納溝の位置に対応する位置にある複数の支持脚カバーを更に含むことを特徴とする、請求項８に記載のマルチメディア舞台装置車。
【請求項１０】
前記車体の周囲に設けた複数の階段を更に含むことを特徴とする、請求項１に記載のマルチメディア舞台装置車。
【請求項１１】
前記車体の上方に設けた通風孔を更に含むことを特徴とする、請求項１に記載のマルチメディア舞台装置車。
【請求項１２】
前記車体の正面に設けた複数の通風ファンを更に含むことを特徴とする、請求項１に記載のマルチメディア舞台装置車。
【請求項１３】
前記昇降装置内に設けた複数の滑車とレールを更に含むことを特徴とする、請求項１に記載のマルチメディア舞台装置車。
【請求項１４】
前記マルチメディアボードの表示する映像音声画面は映像、音声、図柄、及び文字であることを特徴とする、請求項１に記載のマルチメディア舞台装置車。
【請求項１５】
前記可動式プラットフォームの上に設けた複数のラウドスピーカー装置を更に含むことを特徴とする、請求項１に記載のマルチメディア舞台装置車。
【請求項１６】
前記可動式プラットフォームの上に設けた複数のネオンランプ装置を更に含むことを特徴とする、請求項１に記載のマルチメディア舞台装置車。
【請求項１７】
前記車体の前面に設けた連結ラッチを更に含むことを特徴とする、請求項１に記載のマルチメディア舞台装置車。
【請求項１８】
前記車体の下方に設けた複数の中柱を更に含むことを特徴とする、請求項１に記載のマルチメディア舞台装置車。
【請求項１９】
前記車体の下方に設けた複数のタイヤを更に含むことを特徴とする、請求項１に記載のマルチメディア舞台装置車。
【請求項２０】
トラックのキャビン部と連結することを特徴とする、請求項１７に記載のマルチメディア舞台装置車。
【考案の詳細な説明】
【技術分野】
【０００１】
本考案は屋外で使用できるマルチメディア舞台装置車（舞台トレーラー）に関し、詳細には車体、マルチメディアサインボード及び可動式プラットフォームを結合して、ショー・イベント等のステージとするこどできるマルチメディア舞台装置車に関する。
【背景技術】
【０００２】
工業・商業的活動が全盛の今日、様々な製品宣伝キャンペーンや演劇等のショー活動は至る場所で見られる。これらの活動はどれも可動式プラットフォーム（ステージ）上でのプログラム進行が必要である。一般的に組み立てステージの方式を採用して可動式プラットフォームを設置している。具体的には鉄骨フレームで可動式プラットフォームを組み立てた後、可動式プラットフォームの適宜の場所に背景をレイアウトし、さらにその後に、映像音声と音響光学設備を配置している。ライト、音響装置、及び表示スクリーンを設置するにあたり各設備にハードウェアケーブル等の配線を接続する必要がある。
【０００３】
このような従来の設置方法は実行に多くの労働力を必要とし、労働力資源の消耗が大きい。また可動式プラットフォームは、骨組みからレイアウト、最後の設備設置の完了まで、一つの業者により全てを完成させることができないため、組み立て物の品質管理が難しい。さらに、映像音声と音響光学設備に合わせてハードウェアケーブルを配線するのが相当に煩雑である。全体を完成するのに極めて多くの時間がかかる。また、組み立て完了後においては、可動式プラットフォームの位置が固定されているので変更することができない。
【０００４】
本考案は上述した問題を鑑みて成されたもので、車体、マルチメディアサインボード及び舞台構造体を同時に結合した、マルチメディア舞台装置車を提供するものである。
【考案の概要】
【考案が解決しようとする課題】
【０００５】
本考案の主な目的は、車体であり、車両と結合することができ、ショーを行う場所に合わせて随時移動できて、機動性が高く、且つ、マルチメディアサインボードは出演者の演出する映像音声内容を表示することで、ショーの豊かな表現性や娯楽性を高めることができるマルチメディア舞台装置車を提供することである。
【０００６】
本考案のもう一つの目的は、直接ショー活動を行えるプラットフォームであり、余分な舞台設置の必要がなく、ショー前の設置作業時間を節約できるマルチメディア舞台装置を提供することである。
【課題を解決するための手段】
【０００７】
上述の目的を達成するために、本考案は、車体と、マルチメディアサインボードと、一組の昇降装置及び可動式プラットフォームを含むマルチメディア舞台装置車を提供する。このマルチメディアサインボードはこの車体内に設置し、背面に設置した昇降装置によって昇降、支持し、この可動式プラットフォームはマルチメディアサインボードの前方に位置し、車体の一部分であり、ショー活動進行の場所として用いられる。本考案は、車体、マルチメディアサインボード、可動式プラットフォームを結合した、ショーを進行するためのプラットフォームである。
【考案の効果】
【０００８】
本考案のマルチメディア舞台装置車は、ショーを行う場所に合わせて随時移動できて、機動性が高く、且つ、マルチメディアサインボードは出演者の演出する映像音声内容を表示することで、ショーの豊かな表現性や娯楽性を高めることができる。
また、直接ショー活動を行えるプラットフォームであるため、余分な舞台設置の必要がなく、ショー前の設置作業時間を節約することができる。
【図面の簡単な説明】
【０００９】
【図１】本考案のマルチメディア舞台装置車の前面の斜視図
【図２】本考案のマルチメディア舞台装置車の背面の斜視図
【図３】本考案のマルチメディア舞台装置車の側面図
【図４】本考案のマルチメディア舞台装置車の展開した斜視図
【図５】本考案のマルチメディア舞台装置車使用状態を示した説明図
【考案を実施するための形態】
【００１０】
本考案は、車体と、マルチメディアサインボードと、可動式プラットフォームを結合して、ショーを行うためのプラットフォームとするマルチメディア舞台装置車を提供するものである。本考案の技術特徴を詳述するために、実施例を挙げて以下に説明する。
【実施例】
【００１１】
図１と図２で示すように、車体１０は複数のタイヤ４０を有する。車体１０の停車時は車体１０の下方に設けた中柱３８によって固定し、また、車体１０の前方に位置する連結ラッチ３６はトラックのキャビン部（図中未表示）と連結することができる。マルチメディアサインボード１２は車体１０内に設けてあり、このマルチメディアサインボード１２はＬＥＤパネルである。昇降装置１４はこのマルチメディアサインボード１２の背面に設け、車体１０に接続し、マルチメディアサインボード１２の昇降や支持に用いる。この昇降装置１４はレールと滑車（図中未表示）を含んでおり、マルチメディアサインボード１２が昇降する時、安定したスムーズな動きを維持するのに用いる。可動式プラットフォーム１６はこのマルチメディアサインボード１２の前方に位置し、車体１０の一部分である。この可動式プラットフォーム１６は複数の支持脚２４、複数の支持脚収納溝２６及び複数の支持脚カバー２８を含む。この支持脚２４は可動式プラットフォーム１６の下方に位置し、この可動式プラットフォーム１６を支持するのに用いる。複数の支持脚収納溝２６は、可動式プラットフォーム１６の下方の支持脚２４の位置に対応する位置にある。この複数の支持脚収納溝２６は支持脚２４と接続し、この支持脚２４を収納するのに用いる。支持脚カバー２８は可動式プラットフォーム１６の下方の前記支持脚収納溝２６の位置に対応した場所にあり、支持脚２４を収納するのに用いる。バックボード２０は、車体１０と可動式プラットフォーム１６にそれぞれ接続し、車体１０と可動式プラットフォーム１６を接合して固定するのに用いる。このバックボード２０と可動式プラットフォーム１６の間は複数の連動軸２２によって接続し、連動の軸心となる。仕切り板１８は、可動式プラットフォーム１６と接続し、背景をレイアウトするのに用いる。通風孔３２と複数の通風ファン３４はそれぞれ、車体１０の上方と正面に設け、車体１０の空気の流動を促す。複数の階段３０は車体１０の周囲に設け、スタッフが台を上り下りするのに用いる。また、制御装置を車体１０内に設け（図中未表示）、マルチメディア舞台装置車の操作全体を制御する。
【００１２】
図３に示した側面構造図に基づいてマルチメディア舞台装置車の操作方法について説明する。
【００１３】
このマルチメディア舞台装置車を操作する時、車体１０内に設けた制御装置によって全体の操作を制御する。図３に示すように、昇降装置１４が上昇し、マルチメディアサインボード１２も上昇し、同時に可動式プラットフォーム１６は外側に展開する。そして支持脚カバー２８が開き、支持脚２４が支持脚収納溝２６から伸展し、可動式プラットフォーム１６を支持する。
【００１４】
図４はマルチメディア舞台装置車を展開した斜視図である。同図に示すように、昇降装置１４によってマルチメディアサインボード１２が完全に上昇したら、可動式プラットフォーム１６は地面に平行に展開する。支持脚２４は地面と可動式プラットフォーム１６の間に介してこの可動式プラットフォーム１６を支持する。また、このプラットフォーム１６と車体１０はバックボード２０を利用することで固定接合する。仕切り板１８は可動式プラットフォーム１６と接続して背景の役割を果たす。
【００１５】
図５は本考案のマルチメディア舞台装置車でショーを行う使用状態の説明図である。図に示すように、出演者はこの可動式プラットフォーム１６上でショー活動を行う。マルチメディアサインボード１２はショー活動に対応した映像音楽、図柄及び文字の内容を表示する。また、車体の周囲には階段３０を設け、スタッフが台を上り下りする際の可動式プラットフォーム１６のステップになる。
【００１６】
上述の実施例では、マルチメディアサインボード１２を使用しショーの音響光学効果を達成している。これ以外にも、本考案は可動式プラットフォーム１６上に複数のラウドスピーカーと複数のネオンランプ装置を設け、ショーのニーズに合わせ舞台効果に多元性を与えることができる。
【００１７】
以上の記載は本考案の実施例の説明に過ぎず、その目的は、当業者が本考案の内容を理解し、容易に実施できるようにすることにあり、本考案の実施の範囲を限定するものではない。当業者が適宜なし得る修正、若しくは変更であって、本考案の精神の下においてなされた考案と均等の効果を有するものも本考案に含まれるものである。
【符号の説明】
【００１８】
１０  車体    
１２  マルチメディアサインボード  
１４  昇降装置  
１６  可動式プラットフォーム  
１８  仕切り板    
２０  バックボード  
２２  連動軸  
２４  支持脚  
２６  支持脚収納溝  
２８  支持脚カバー  
３０  階段  
３２  通風孔  
３４  通風ファン  
３６  連結ラッチ  
３８  中柱  
４０  タイヤ
【図１】
0003153421.tif 000003
【図２】
0003153421.tif 000004
【図３】
0003153421.tif 000005
【図４】
0003153421.tif 000006
【図５】
0003153421.tif 000007